(57)【特許請求の範囲】
【請求項１】
一端が枠体に揺動自在に枢支される扉の錠装置において、前記扉に取付けられる筺体と、
前記筺体内を前記扉の揺動方向とは交差する方向に摺動自在に設けられ、一端が前記扉の他端から突出または後退することができ、かつ前記一端に案内斜面が形成されるラッチ部材と、
前記ラッチ部材に固定され、前記扉の内方側および外方側から該ラッチ部材を摺動変位させることのできるハンドルと、
前記ラッチ部材を、該ラッチ部材の一端が前記扉の他端から突出する方向に弾発的に付勢するばね部材と、
前記ラッチ部材を突出位置に保持する保持部材であって、
前記ラッチ部材の他端付近に臨んで、前記筺体に角変位自在に設けられ、前記扉の内方側から角変位操作される操作片と、
前記操作片に連動して、突出位置にある前記ラッチ部材の他端に当接する施錠位置と、前記ラッチ部材の変位領域から退避して該ラッチ部材を摺動変位可能とする解錠位置との間で角変位し、予め定める工具によって、前記扉の外方側から角変位操作可能である係止片と、
前記係止片が前記施錠位置または前記解錠位置にあるときに、その状態を保持するように弾発的に付勢する反転ばねとを備えるそのような保持部材と、
前記枠体において前記ラッチ部材に対向して設けられ、該ラッチ部材の一端が嵌入するための凹所を有する係止部材とを含み、
前記係止部材は、前記凹所を形成し、脚部に外ねじの形成された門形の受部材と、前記枠体の内方側および外方側にそれぞれ設けられ、前記受部材の脚部が挿通する挿通孔が形成された一対の取付板と、該取付板に形成された挿通孔および前記枠体に形成された遊通孔を連通し、前記取付板に前記枠体を挟持させる取付ボルトおよびナットと、前記取付板に、前記受部材の脚部を、該脚部に形成された外ねじの任意の位置で保持固定するための一対のナットとを備え、
前記ラッチ部材は、前記扉が閉じられるときに案内斜面が前記係止部材の凹所の周縁部に摺接することによって後退し、前記扉が完全に閉じられると突出して前記一端が前記凹所に嵌入し係止されることを特徴とする錠装置。
【発明の詳細な説明】
【０００１】
【産業上の利用分野】
本発明は、一端が枠体に揺動自在に枢支される扉に好適に用いられる錠装置に関し、特に、移動して設置可能な簡易トイレなどの屋外に設置される構造物の扉に好適に用いられる錠装置に関する。
【０００２】
【従来の技術】
トイレの扉などの一端が枠体に揺動自在に枢支される扉には、従来から、構造の簡単なスライド式の錠装置が用いられている。このスライド式の錠装置は、扉に設けられ、水平面上で扉の揺動方向とは垂直方向に変位可能な掛け金およびその掛け金を変位操作するためのハンドルと、枠体側に設けられ、前記掛け金が嵌入する留め具とを備えて構成されている。扉を施錠する場合には、使用者がハンドルを手動操作し、掛け金の一端を扉の他端から突出させて、前記留め具に嵌入させる。
【０００３】
このような構造のスライド式錠装置は、ノブなどを回転させることによって、前記留め金を変位操作するシリンダー錠（回転式錠装置）に比べて、施錠の確認が容易に行うことができ、また操作性の点でも優れている。
【０００４】
【発明が解決しようとする課題】
しかしながら、上述のようなスライド式錠装置では、扉の内方側に誰もいない前記トイレの未使用時には、扉は揺動自在である。したがって、該スライド式錠装置が、特に移動して設置可能な簡易トイレなどの屋外に設置される構造物の扉として用いられる場合には、風などによって扉は容易に揺動してしまう。したがって、このような扉の揺動を防止するためには、ドアチェックやスプリング入り蝶番などの該スライド式錠装置とは別部品をさらに設ける必要があり、構造および取付作業が煩雑になるという問題がある。
【０００５】
一方、扉の外方側から前記掛け金を変位操作可能とすることによって、扉を施錠可能とした場合には、前述のような扉の内方側に誰もいない状態であっても、扉の揺動を防止することができる。しかしながら、単にこのように扉の外方側から掛け金を変位操作可能とするだけでは、扉を外方側から閉めるときにも、掛け金の変位操作が必要となり、操作が煩雑である。
【０００６】
本発明の目的は、良好な操作性で、かつ別部品を用いることなく、扉を閉状態に保持することができる錠装置を提供することである。
【０００７】
【課題を解決するための手段】
請求項１の発明に係る錠装置は、一端が枠体に揺動自在に枢支される扉の錠装置において、前記扉に取付けられる筺体と、前記筺体内を扉の揺動方向とは交差する方向に摺動自在に設けられ、一端が扉の他端から突出または後退することができ、かつ前記一端に案内斜面が形成されるラッチ部材と、前記ラッチ部材に固定され、扉の内方側および外方側から該ラッチ部材を摺動変位させることのできるハンドルと、前記ラッチ部材を、該ラッチ部材の一端が扉の他端から突出する方向に弾発的に付勢するばね部材と、前記ラッチ部材を突出位置に保持する保持部材であって、前記ラッチ部材の他端付近に臨んで、筺体に角変位自在に設けられ、扉の内方側から角変位操作される操作片と、前記操作片に連動にして、突出位置にあるラッチ部材の他端に当接する施錠位置と、前記ラッチ部材の変位領域から退避して該ラッチ部材を摺動変位可能とする解錠位置との間で角変位し、予め定める工具によって、扉の外方側から角変位操作可能である係止片と、前記係止片が前記施錠位置または解錠位置にあるときに、その状態を保持するように弾発的に付勢する反転ばねとを備えるそのような保持部材と、枠体において前記ラッチ部材に対向して設けられ、該ラッチ部材の一端が嵌入するための凹所を有する係止部材とを含み、前記ラッチ部材は、扉が閉じられるときに案内斜面が係止部材の凹所の周縁部に摺接することによって後退し、扉が完全に閉じられると突出して前記一端が凹所に嵌入し係止されることを特徴とする。
【０００８】
また、前記係止部材は、前記凹所を形成し、脚部に外ねじの形成された門形の受部材と、前記枠体の内方側および外方側にそれぞれ設けられ、前記受部材の脚部が挿通する挿通孔が形成された一対の取付板と、前記取付板に形成された挿通孔および枠体に形成された遊通孔を連通し、取付板に枠体を挟持させる取付ボルトおよびナットと、前記取付板に、前記受部材の脚部を、該脚部に形成された外ねじの任意の位置で保持固定するための一対のナットとを備えることを特徴とする。
【０００９】
【作用】
請求項１の発明に従えば、一端が枠体に揺動自在に枢支されるトイレの扉などで使用される錠装置において、該扉を枠体に係止させるためのラッチ部材を、扉に、該扉の揺動方向とは交差する方向に摺動自在に設け、かつこのラッチ部材をバネ部材によって突出方向に弾発的に付勢しておくとともに、突出位置で保持して施錠可能なように保持部材を設ける。
【００１０】
すなわち、前記ラッチ部材を、扉に取付けられる筺体内に前記扉の揺動方向とは交差する方向に摺動自在であり、かつ一端が扉の他端から突出または後退することができるように設ける。前記ラッチ部材は、該ラッチ部材に固定されるハンドルによって扉の内方側および扉の外方側から摺動変位可能とされ、バネ部材によってその一端が扉の他端から突出する方向に弾発的に付勢されている。枠体には前記ラッチ部材に対向して係止部材が設けられており、扉が閉じられている状態では、前記ラッチ部材の一端がこの係止部材の凹所内に嵌入して、扉は揺動変位しないように係止されている。
【００１１】
したがって、使用者は、扉の内方側および外方側のいずれからでも、ラッチ部材を後退方向に摺動変位させるだけの簡単な操作で扉を開けることができる。
【００１２】
また、使用者の前記後退方向への操作力が解除されると、ラッチ部材はバネ部材の弾発力によってその一端が扉の他端から突出しており、したがって前記使用者が扉を閉じた状態で前記後退方向への操作力を解除することによって、前記ラッチ部材の一端が係止部材の凹所に嵌入し、扉は閉状態で保持される。また使用者が扉を閉め忘れても、風などによって扉が揺動し、該扉が閉じられる方向に変位されると、前記ラッチ部材の一端に形成されている案内斜面が前記係止部材の凹所の周縁部に摺接してゆき、これによって該ラッチ部材が後退し、扉が完全に閉まると、前記バネ部材の弾発力によって、該ラッチ部材はその一端が係止部材の凹所内に嵌入して扉は閉状態で保持される。
【００１３】
したがって、使用者が扉を閉め忘れ、あるいは完全に閉めていなくても、風などによって一旦扉が閉まると、ラッチ部材の一端が係止部材の凹所に嵌入して、該扉は閉状態で保持され、扉が開いたままになるような不具合を防止することができる。したがって、扉を閉状態に保持するための前記ドアチェックやスプリング入り蝶番などの別部品を設ける必要がなく、構成および取付作業を簡略化することができる。
【００１４】
さらにまた、上述のように扉が閉まっている状態では、ラッチ部材は係止部材内に突出しており、この状態で使用者は保持部材を操作することによって、ラッチ部材を突出位置に保持、すなわち扉を施錠することができる。したがって、摺動変位するラッチ部材に一体で施錠のための構成を設けることができ、構成を簡略化することができる。
【００１５】
また、前記保持部材を、ラッチ部材の他端付近に臨むように筺体に角変位自在に設けられる操作片と、該操作片に連動して、たとえば同軸に設けられて角変位する係止片と、係止片の状態を保持する反転バネとを備えて構成する。前記操作片は扉の内方側から角変位操作可能であり、使用者が角変位操作を行うと、たとえば径の異なる回転部材などで実現される係止片が、突出位置にあるラッチ部材の他端に当接する施錠位置と、ラッチ部材の変位領域から退避してラッチ部材を摺動変位可能とする解錠位置との間で角変位する。前記係止片は、反転ばねによって、前記施錠位置または解錠位置にあるときにその状態を保持するように弾発的に付勢されている。
【００１６】
したがって、使用者が角変位操作の途中で操作を止めても、遷移状態にある係止片は、反転バネの弾発力によって、前記施錠位置または解錠位置まで変位され、こうして簡単な構造で安定した動作を実現することができる。
【００１７】
さらにまた、前記係止片を、マイナスドライバーなどの予め定める工具によって、扉の外方側からも角変位操作可能とする。
【００１８】
したがって、子供が係止片を誤って操作するなどして、扉の内方側に閉じ込められてしまうような緊急事態が発生しても、前記予め定める工具を用いることによって、扉の外方側から解錠を行うことができ、安全性を向上することができる。
【００１９】
また、前記係止部材を、門形の受部材と、一対の取付板と、該取付板を枠体に固定するための取付けボルトおよびナットと、一対のナットとを備えて構成する。前記受部材において、門形の脚部には外ねじが形成されており、また両脚部を連結する連結部が前記ラッチ部材の案内斜面に摺接する。前記受部材は、取付板に対して、該受部材の脚部に形成された外ねじに螺着される一対のナットによって前記取付板を挟持するようにして取付けられている。また前記取付板は、該取付板を挿通する取付けボルトとナットとによって、枠体に固定される。このとき、枠体に形成される前記取付けボルトのための挿通孔は遊通孔であり、したがって該遊通孔の孔径の範囲内で取付板を変位させて任意の位置に取付けることができる。
【００２０】
したがって、扉と枠体との製造上の微妙なずれや温度変化などによって生じるずれに対して、高い精度で、受部材をラッチ部材に最適な位置に取付けることができる。
【００２１】
【実施例】
本発明の一実施例について、図１〜図５に基づいて説明すれば、以下の通りである。
【００２２】
図１は本発明の一実施例の錠装置１の分解斜視図であり、図２はその錠装置１の動作を説明するための水平断面図である。この錠装置１は、屋外に設置される可搬式の簡易トイレの錠装置として用いられる。この錠装置１は、扉２の内方側に取付けられる錠機構３と、枠体４に取付けられる係止部材５とを備えて構成されている。扉２は、図示しない該扉２の一端側において、蝶番などによって枠体４に揺動自在に取付けられている。
【００２３】
図３は前記錠機構３の背面図である。図１〜図３を参照して、前記錠機構３は、大略的に、水平面上で扉２の揺動方向６とは垂直な変位方向７に摺動変位することができるラッチ部材８と、該ラッチ部材８を収納する筺体９と、前記ラッチ部材８を突出方向７ａへ弾発的に付勢するコイルばね１０，１１と、使用者によって操作されるハンドル１２，１３と、前記ラッチ部材８を突出方向７ａに突出した状態で保持する保持部材１４と、該錠装置１が施錠状態であるか否かを表示する表示部材１５と、蓋部材１６を備えて構成されている。
【００２４】
ラッチ部材８は、筺体９内を前記変位方向７に摺動変位することができる本体８ａと、この本体８ａの裏面側に形成され前記コイルばね１０，１１の一端にそれぞれ当接するばね受け座８ｂ，８ｃと、前記本体８ａから前記突出方向７ａに延びて形成される嵌入部８ｄと、前記本体８ａの正面側に形成される一対のスペーサ８ｅ，８ｆと、保持部材１４に対向する当接部８ｋとを備えて構成されている。
【００２５】
本体８ａの正面側には、前記扉２の外方側から該ラッチ部材８を変位操作することができるように、ハンドル１２が固着されている。また本体８ａには、前記筺体９の底板９ａに形成された長孔９ｂを遊挿したハンドル１３の軸部１３ａが挿通することができる挿通孔８ｇが形成されており、前記軸部１３ａの先端部１３ｂがこの挿通孔８ｇおよびワッシャ１７を連通した後、該先端部１３ｂに形成されたピン孔１３ｃに割りピン１８が嵌め込まれて抜け止めされることによって、ハンドル１３は本体８ａに取付けられる。軸部１３ａの基端部１３ｄには、矩形部１３ｅが形成されており、この矩形部１３ｅが長孔９ｂ内に嵌り込むことによって、ハンドル１３は角変位することなく、前記変位方向７への摺動変位が可能となる。
【００２６】
筺体９は、前記ラッチ部材８、コイルばね１０，１１および保持部材１４などを収納するための凹所９ｃを有し、その凹所９ｃを形成する一方の側板９ｄには、前記ラッチ部材８の嵌入部８ｄが嵌挿し、前記変位方向７に延びる突出孔９ｅが穿設されている。また、筺体９の他方の側板９ｆには、前記本体８ａの背面側を摺動自在に支持する案内片９ｇ，９ｈが立設されている。
【００２７】
また前記筺体９において、底板９ａには、前記コイルばね１０，１１の他端がそれぞれ当接するばね受け座９ｉ，９ｊが立設されている。前記コイルばね１０，１１は圧縮ばねであり、したがって前記ラッチ部材８は前記突出方向７ａに弾発的に付勢されており、ハンドル１２，１３が操作されていないときには、嵌入部８ｄは突出孔９ｅから突出している。
【００２８】
前記保持部材１４は、操作片２１と、係止片２２と、反転ばね２３とを備えて構成されている。操作片２１の軸部２１ａは、前記筺体９の底板９ａに形成された挿通孔９ｋおよび係止片２２に形成された挿通孔２２ａを連通した後、その先端側に形成されたピン孔２１ｂに割りピン２４が嵌め込まれることによって、抜け止めされ筺体９に角変位自在に取付けられる。軸部２１ａの基端部には小判形の嵌合突部２１ｅが形成されており、これに対応して係止片２２の挿通孔２２ａの操作片２１側には小判形の凹所２２ｆが形成される。したがって操作片２１と係止片２２とは、相互に一体で角変位可能となる。
【００２９】
前記係止片２２は前記挿通孔２２ａを形成する筒部２２ｂと、この筒部２２ｂの一側面から延びる大径部２２ｃと、前記筒部２２ｂから前記大径部２２ｃとは反対側に伸びる延設部２２ｄと、この延設部２２ｄに立設される係止ピン２２ｅとを備えて構成されている。前記係止ピン２２ｅには反転ばね２３の一端２３ａが巻掛けられており、この反転ばね２３の他端２３ｂは前記筺体９の底板９ａに立設された係止ピン９ｌに巻掛けられている。
【００３０】
また前記操作片２１の軸部２１ａの先端において、その外周縁部には切欠き２１ｃが形成されており、この切欠き２１ｃには表示部材１５に形成された嵌合孔１５ａが嵌り込み、こうして操作片２１の角変位に伴って、係止片２２および表示部材１５が角変位することになる。前記表示部材１５は円弧状に形成されており、中心位置に前記嵌合孔１５ａが形成されており、また円周方向に相互に間隔を開けて二つの指標１５ｂ，１５ｃが形成されている。指標１５ｂは該錠装置１が解錠状態であることを表す、たとえば青色であり、指標１５ｃは該錠装置１が施錠状態であることを表す、たとえば赤色である。
【００３１】
前記蓋部材１６には、前記ハンドル１２が突出することができる操作口１６ａと、前記指標１５ｂまたは１５ｃを選択的に露出させるための表示窓１６ｂと、操作片２１の軸部２１ａの先端部が臨む操作孔１６ｃとが形成されている。この蓋部材１６は、前記各部材８，１４，１５およびコイルばね１０，１１などが筺体９内に収納された後、該蓋部材１６を挿通したビス２５ａ，２５ｂ，２５ｃがそれぞれ筺体９の底板９ａに立設されたボス９ｐ，９ｑ，９ｒに螺着されることによってねじ止め固定される。このようにして完成した錠機構３は、筺体９の前記側板９ｄ，９ｆからそれぞれ延設されるフランジ９ｍ，９ｎを挿通した図示しないビスが扉２に螺着されることによって該扉２に取付けられる。
【００３２】
このように蓋部材１６が組付けられた状態であっても、ラッチ部材８の本体８ａの前面と蓋部材１６の裏面との間には、本体８ａに取付けられているハンドル１２の取付部１２ａおよび前記スペーサ８ｅ，８ｆによって一定の間隔が保持されており、したがって表示部材１５は操作片２１の角変位操作に連動して円滑に角変位することができる。
【００３３】
図４は係止部材５の縦断面図である。係止部材５は、大略的に、受部材３１と、一対の取付板３２，３３と、ボルト３４，３５と、該ボルト３４，３５に対応したナット３６，３７と、前記受部材３１を固定するためのナット３８，３９；４０，４１とを備えて構成されている。
【００３４】
前記受部材３１は門形に形成されており、一対の脚部３１ａ，３１ｂの遊端側には外ねじ３１ｃ，３１ｄが刻設されている。前記脚部３１ａ，３１ｂの基端側は連結部３１ｅによって相互に連結されており、前記嵌入部８ｄが嵌入するための凹所を形成する。取付板３２，３３は、枠体４の正面側と背面側とにそれぞれ配置され、前記ボルト３４，３５、ワッシャ４２，４３、スプリングワッシャ４４，４５および前記ナット３６，３７によって該枠体４に固定される。枠体４に取付けられた取付板３２，３３には、前記ナット３８，３９、ワッシャ４６，４７、スプリングワッシャ４８，４９および前記ナット４０，４１を用いて、前記受部材３１が固定される。
【００３５】
取付板３３と枠体４の背面との間には、押え板５０が介在されている。この押え板５０と枠体４とには前記脚部３１ａ，３１ｂおよびボルト３４，３５の外径よりも大きな遊通孔５１，５２が形成されており、したがって扉２および枠体４の製造上の微妙なずれや温度変化などに係わりなく、受部材３１を錠機構３に対応した最適な位置に取付けることができる。また、脚部３１ａ，３１ｂの外ねじ３１ｃ，３１ｄ上において、ナット３８，３９；４０，４１の締付け位置を変更することによって、前記連結部３１ｅの取付板３２からの突出高さを調整することができ、ラッチ部材８の嵌入部８ｄを円滑に嵌入させることができる。
【００３６】
図２を参照して、図２（ａ）で示すように、扉２が閉じられている状態では、嵌入部８ｄの背面８ｊは受部材３１の連結部３１ｅによって係止されており、したがってハンドル１２，１３が操作されない限りは、該扉２は不所望に開いたりすることなく係止されている。ハンドル１２、１３が後退方向７ｂに変位操作されると、ラッチ部材８の嵌入部８ｄは筺体９内に後退し、これによって前記嵌入部８ｄの受部材３１による係止状態は解除され、図２（ｂ）で示すように扉２を矢符６ｂ方向に開けることが可能となる。
【００３７】
使用者による操作または風などによる外力によって扉２が閉じられるときには、図２（ｃ）で示すように嵌入部８ｄの案内斜面８ｉが受部材３１の連結部３１ｅを摺接し、これによってラッチ部材８はコイルばね１０，１１の弾発力に抗して筺体９内に後退してゆき、前記図２（ａ）で示すように扉２が完全に閉じられると、前記コイルばね１０，１１の弾発力によってラッチ部材８は突出方向７ａに変位し、嵌入部８ｄの背面８ｊが前記連結部３１ｅに係止されて扉２は閉状態で保持される。
【００３８】
したがって、このように本発明では、ラッチ部材８をハンドル１２または１３によって摺動変位させるだけで、扉２の内方側または外方側のいずれからも良好な操作性で該扉２を開放または係止することができる。また、使用者が扉を閉め忘れても、風などの外力によって、一旦該扉２が閉まると、該扉２を係止状態で保持することができる。
【００３９】
図５は、保持部材１４の動作を説明するための簡略化した正面図である。錠機構３の解錠状態では、図５（ａ）で示すように、係止片２２の大径部２２ｃは筺体９の底板９ａに形成された当り片９ｓに当接しており、この状態で反転ばね２３の弾発力によって安定して保持されている。したがって、ラッチ部材８には係止片２２の筒部２２ｂが臨んでおり、ラッチ部材８は変位方向７に摺動変位可能である。またこの状態では、表示部材１５の指標１５ｂが表示窓１６ｂに臨み、扉２の外方側に解錠状態であることを表示している。
【００４０】
これに対して、操作片２１が角変位操作され錠機構３が施錠状態となると、図５（ｃ）で示すように、係止片２２の大径部２２ｃはラッチ部材８の当接部８ｋに当接し、この状態で反転ばね２３によって安定して保持されている。この状態では、ラッチ部材８の後退方向７ｂへの変位操作に対して、大径部２２ｃがその変位を阻止する。またこの状態では、表示部材１５の指標１５ｃが表示窓１６ｂに臨み、該錠機構３が施錠状態であることを表示する。
【００４１】
さらにまた図５（ｂ）で示すように、図５（ａ）で示す解錠状態と図５（ｃ）で示す施錠状態との間の遷移状態にあるときには、反転ばね２３の弾発力によって係止片２２は不安定な状態にあり、前記解錠状態または施錠状態のいずれかとなるように係止片２２を変位させようとする。
【００４２】
したがって、係止片２２が前記遷移状態のままとなってしまうことはなく、これによってラッチ部材８の円滑な摺動変位を可能とする。
【００４３】
また前記操作片２１は、その操作溝２１ｄを蓋部材１６の操作孔１６ｃからマイナスドライバーを差し込むことによって、扉２の外方側から角変位操作可能となる。したがって、子供が操作片２１を誤って操作するなどして扉２の内方側に閉じ込められてしまうような緊急事態に際しても、予め定める工具である前記マイナスドライバーを用いることによって、扉２の外方側から解錠操作を行うことができ、安全性を向上することができる。
【００４４】
【発明の効果】
請求項１の発明に係る錠装置は、以上のように、扉から突出または後退することによって扉を閉状態で保持または開放を可能とするラッチ部材に、係止部材側に臨んで案内斜面を形成するとともに、ばね部材によって突出方向に弾発力を発生させておく。また該ラッチ部材に関連して、該ラッチ部材を突出位置で保持する保持部材を設ける。
【００４５】
それゆえ、前記ラッチ部材を摺動変位させるだけで扉を閉状態で保持または開放可能とする操作性の良好なスライド式の錠装置において、使用者が扉を閉め忘れても、一旦扉が閉まると、ラッチ部材は係止部材に係止され、扉を閉状態に保持することができる。これによって扉を閉状態で保持するために別部品を設ける必要がなく、構成および取付け作業を簡略化することができる。また施錠のための構成がラッチ部材に一体で設けられており、構成を簡略化することができる。
【００４６】
また、前記ラッチ部材を突出位置に保持して施錠するための保持部材を、角変位操作される操作片と、この操作片に連動する係止片と、係止片の状態を保持する反転ばねとを備えて構成する。
【００４７】
それゆえ、使用者が角変位操作の途中で操作を止めても、遷移状態にある係止片は反転ばねの弾発力によって施錠位置または解錠位置まで変位される。したがって、簡単な構造で安定した動作を実現することができる。
【００４８】
さらにまた、前記係止片をマイナスドライバーなどの予め定める工具によって扉の外方側からも角変位操作可能とする。
【００４９】
それゆえ、誤操作などによって子供が閉じ込められてしまうような緊急事態が発生しても、予め定める工具を用いることによって、扉の外方側から解錠を行うことができ、安全性を向上することができる。
【００５０】
また、前記ラッチ部材を係止するための係止部材を、門形の受部材と、その受部材が取付けられる一対の取付板とを備えて構成しておき、前記ラッチ部材を係止するための受部材の連結部の高さを、該受部材の脚部に螺着されるナットの螺着位置によって調整可能とし、かつ取付板を取付けるための取付けボルトのための枠体の挿通孔を遊通孔とする。
【００５１】
それゆえ、扉と枠体との製造上の微妙なずれや温度変化などによって生じるずれに対して、高い精度で、受部材をラッチ部材に最適な位置に取付けることができる。
【図面の簡単な説明】
【図１】本発明の一実施例の錠装置の分解斜視図である。
【図２】前記錠装置の動作を説明するための水平断面図である。
【図３】前記錠装置において扉側に取付けられる錠機構の背面図である。
【図４】前記錠装置の枠体側に取付けられる係止部材の縦断面図である。
【図５】施錠動作を行う保持部材の動作を説明するための簡略化した正面図である。
【符号の説明】
１    錠装置
２    扉
３    錠機構
４    枠体
５    係止部材
６    揺動方向
７    変位方向
７ａ  突出方向
７ｂ  後退方向
８    ラッチ部材
８ｄ  嵌入部
８ｉ  案内斜面
９    筺体
１０    コイルばね
１１    コイルばね
１２    ハンドル
１３    ハンドル
１４    保持部材
１５    表示部材
１６    蓋部材
２１    操作片
２２    係止片
２３    反転ばね
３１    受部材
３１ａ  脚部
３１ｂ  脚部
３１ｅ  連結部
３２    取付板
３３    取付板
５０    押え板
５１    遊通孔
５２    遊通孔
【図１】
0003756545.tif 000002
【図２】
0003756545.tif 000003
【図３】
0003756545.tif 000004
【図４】
0003756545.tif 000005
【図５】
0003756545.tif 000006